(57)【要約】【課題】  ディジタルプレディストーションを適用的に行う無線通信システムの送信機において、ＡＭ−ＡＭ特性およびＡＭ−ＰＭ特性の少なくとも一方が不規則でパターン化が困難な場合に、そのパターン化が困難な歪補償データを予め保持していなくても最適な歪補償を行う。【解決手段】  増幅部に入力する変調信号の入力電力を調整するレベル調整部を備え、歪補償データ制御部は、レベル調整部に対して増幅部へ入力される全電力の範囲で段階的に電力区間を設定するとともに、各電力区間の歪補償データのうちＡＭ−ＡＭ特性またはＡＭ−ＰＭ特性のいずれか一方の歪補償データを一時的に変動させ、歪成分電力が最も小さくなる歪補償データを決定し、全電力区間に応じた歪補償データ群の確定処理を行う構成である。【選択図】        図１
2006140645.tif 000002
【特許請求の範囲】
【請求項１】
入力する直交ベースバンド信号の信号電力を計算する電力計算部と、
複数の前記信号電力に対応する複数の歪補償データで構成される一つの歪補償データ群として入力信号電力対出力信号電力特性（ＡＭ−ＡＭ特性）と入力信号電力対出力信号位相特性（ＡＭ−ＰＭ特性）の２種類を記憶し、記憶している歪補償データ群の中から前記信号電力に対応する歪補償データを選択し出力する歪補償データ部と、
前記直交ベースバンド信号を前記歪補償データ部から出力された歪補償データを用いて信号処理し、この歪補償データに対応する非線形歪を付与した直交ベースバンド信号を生成する歪補償部と、
非線形歪が付与された直交ベースバンド信号を直交変調し、変調信号を出力する直交変調部と、
非線形な入出力特性を有し、前記変調信号を増幅して出力する増幅部と、
前記増幅部から出力される変調信号の一部を分配する分配部と、
前記分配部で分配された変調信号を入力し、その有効帯域外成分（歪成分）を取り出すフィルタと、
前記フィルタにより取り出された変調信号の有効帯域外成分に対応する歪成分電力を検出する電力検出部と、
前記歪成分電力が最も小さくなる歪補償データ群を前記歪補償データ部に設定する歪補償データ制御部と
を備えた非線形歪補償装置において、
前記増幅部に入力する前記変調信号の入力電力を調整するレベル調整部を備え、
前記歪補償データ制御部は、前記レベル調整部に対して前記増幅部へ入力される全電力の範囲で段階的に電力区間を設定するとともに、各電力区間の歪補償データのうちＡＭ−ＡＭ特性またはＡＭ−ＰＭ特性のいずれか一方の歪補償データを一時的に変動させ、前記歪成分電力が最も小さくなる歪補償データを決定し、全電力区間に応じた歪補償データ群の確定処理を行う構成である
ことを特徴とする非線形歪補償装置。
【請求項２】
入力する直交ベースバンド信号の信号電力を計算する電力計算部と、
複数の前記信号電力に対応する複数の歪補償データで構成される一つの歪補償データ群として入力信号電力対出力信号電力特性（ＡＭ−ＡＭ特性）と入力信号電力対出力信号位相特性（ＡＭ−ＰＭ特性）の２種類を記憶し、記憶している歪補償データ群の中から前記信号電力に対応する歪補償データを選択し出力する歪補償データ部と、
前記直交ベースバンド信号を前記歪補償データ部から出力された歪補償データを用いて信号処理し、この歪補償データに対応する非線形歪を付与した直交ベースバンド信号を生成する歪補償部と、
非線形歪が付与された直交ベースバンド信号を直交変調し、変調信号を出力する直交変調部と、
非線形な入出力特性を有し、前記変調信号を増幅して出力する増幅部と、
前記増幅部から出力される変調信号の一部を分配する分配部と、
前記分配部で分配された変調信号を入力し、その有効帯域外成分（歪成分）を取り出すフィルタと、
前記フィルタにより取り出された変調信号の有効帯域外成分に対応する歪成分電力を検出する電力検出部と、
前記歪成分電力が最も小さくなる歪補償データ群を前記歪補償データ部に設定する歪補償データ制御部と
を備えた非線形歪補償装置において、
前記増幅部に入力する前記変調信号の入力電力を調整するレベル調整部と、
前記増幅部への入力電力値に対応して、理想的に歪補償が行われた場合の歪成分電力を保持する歪成分電力参照部とを備え、
前記歪補償データ制御部は、前記レベル調整部に対して前記増幅部へ入力される全電力の範囲で段階的に電力区間を設定するとともに、各電力区間の歪補償データのうちＡＭ−ＡＭ特性またはＡＭ−ＰＭ特性のいずれか一方の歪補償データを一時的に変動させたときに、前記歪成分電力参照部から前記増幅部への入力電力値に対応する歪成分電力を取り出し、この歪成分電力を目標として前記電力検出部で検出された歪成分電力が最も小さくなる歪補償データを決定し、全電力区間に応じた歪補償データ群の確定処理を行う構成である
ことを特徴とする非線形歪補償装置。
【請求項３】
請求項１または請求項２に記載の非線形歪補償装置において、
前記歪補償データ制御部は、前記増幅部の電源投入時または増幅特性の変動が予想される場合に、全電力区間に応じた歪補償データ群の確定処理を行う構成である
ことを特徴とする非線形歪補償装置。
【発明の詳細な説明】
【技術分野】
【０００１】
本発明は、無線通信システムの送信機に用いられる増幅器の非線形歪を補償する非線形歪補償方法および装置に関する。
【背景技術】
【０００２】
無線通信システムの送信機に用いられる増幅器は、一般的に非線形な入出力特性を有している場合が多い。この入出力特性には２種類あり、一方は増幅器の入力信号電力に対する出力信号の電力特性（ＡＭ−ＡＭ特性）であり、他方は入力信号電力に対する出力信号の位相特性（ＡＭ−ＰＭ特性）である。これらの入出力特性における非線形特性を非線形歪と呼び、これらの入出力特性を線形化するための非線形歪補償技術が開発されている。
【０００３】
この非線形歪補償技術には、信号が増幅器で歪む量を低減させるのではなく、増幅器出力での歪は許容し、増幅器へ入力する信号に対して増幅器での歪み分を逆方向に歪ませ、増幅器での歪を相殺するプレディストーションと呼ばれる方法がある。この中で、特にディジタル信号により予め逆方向へ歪ませる方法をディジタルプレディストーション方法と呼び、この非線形歪を与えるためのデータを「歪補償データ」と呼ぶ。
【０００４】
ディジタルプレディストーションでは、信号に与える歪と増幅器の歪とが等振幅逆位相であれば最も高い補償効果を見込める。しかし、歪補償データが増幅器における非線形歪を完全に相殺できない場合には、増幅後の信号に非線形歪成分が残り、この歪成分がスペクトル上で有効帯域外成分として現れる。よって、歪補償データを変化させながら歪成分電力を測定し、これが減少するように歪補償データを操作し、歪補償データが増幅器の非線形歪をほぼ相殺するように適切な歪補償データを決定する方法がとられる。
【０００５】
従来は、ＡＭ−ＡＭ特性およびＡＭ−ＰＭ特性の両方の特性について、複数の電力に対応した歪補償データで構成される歪補償データ群を予め複数パターン保有している。このとき、最も歪成分電力が小さくなる歪補償データ群を選択して歪補償データとして適用する方法として、次のようなものが提案されている。なお、増幅器の歪範囲は、デバイスメーカ等の情報によりある程度は想定可能であり、想定した範囲内で発生する歪を補償する歪補償データ群を予め保有しておくことができる。
【０００６】
図５は、従来の非線形歪補償装置の構成例を示す（非特許文献１）。図において、送信信号として入力された直交ベースバンド信号１は、歪補償部１１および電力計算部１２に入力される。電力計算部１２は直交ベースバンド信号１の信号電力を計算し、その値を歪補償データ部１４に出力する。歪補償データ部１４は、各信号電力と、増幅器１６の非線形なＡＭ−ＡＭ特性およびＡＭ−ＰＭ特性によって生じる非線形歪を補償するための歪補償データを対応付けた歪補償データ群を記憶し、電力計算部１２から入力する信号電力に対応した歪補償データ２を読み出して歪補償部１１に出力する。ここで、歪補償データは、振幅補償用および位相補償用のデータで構成される。
【０００７】
歪補償部１１は、直交ベースバンド信号１とその信号電力に対応した歪補償データ２との複素積を計算し、増幅器１６で発生する非線形歪と逆特性の非線形歪を付与した直交ベースバンド信号を直交変調部１５に出力する。直交変調部１５は、歪補償部１１で歪補償処理された直交ベースバンド信号を直交変調し、その変調信号を増幅器１６で所定のレベルまで増幅する。増幅器１６で増幅および歪補償された変調信号３は無線信号として送信されるとともに、分配部１７を介してその一部が分配され、フィルタ２１に入力される。フィルタ２１は、増幅後の変調信号３のうち有効帯域外成分（歪成分）を分離して電力検出部２２に出力する。
【０００８】
電力検出部２２は、変調信号３に含まれる歪成分電力を検出し、歪補償データ制御部２３に出力する。歪補償データ制御部２３は、検出される歪成分電力が小さくなるように、歪補償データ部１４に記憶された歪補償データ群を摂動等により更新し、最適な歪補償データ群を設定する。ここでは、歪補償データ保有部１３に特性の異なる複数の歪補償データ群Gr１〜GrＭを保有させ、歪補償データ制御部２３によって１つの歪補償データ群Grｉを選択して歪補償データ部１４に記憶させ、各信号電力に対応する歪補償データを更新する。
【０００９】
このような構成では、適切な歪補償データ群を保有することが良好な歪補償効果を得るために必要となる。しかし、メモリ等の制限の問題や、制御に要する時間の問題等から、多くの歪補償データ群を保有するには限界があり、ＡＭ−ＡＭ特性およびＡＭ−ＰＭ特性の適切なモデル化が必要になる。
【００１０】
ここで、ＡＭ−ＡＭ特性における補償前と理想的な補償後の例について、図６を参照して説明する。補償前のＡＭ−ＡＭ特性は、入力電力が低い範囲でほぼ線形な特性を維持する「線形領域」と、入力電力が大きくなるにつれて徐々に一定利得を確保できなくなる「非線形領域」と、利得が飽和し入力電力に対して出力電力が一定になる「飽和領域」に分けられる。一般に、増幅器は電力効率を良好に保ちながら、できるだけ線形な特性を維持するように製作されており、ほとんどの増幅器のＡＭ−ＡＭ特性は、これら３つの領域によって表現される。これにより、補償前のＡＭ−ＡＭ特性は、線形時の増幅利得と飽和出力をパラメータとする上に凸の曲線（図中の破線）としてモデル化することができる。よって、ＡＭ−ＡＭ特性に対応する歪補償データ群をパターン化して適切に保有することが容易である。
【非特許文献１】摂動型ベースバンドプレディストーション法の提案、電子情報通信学会、ソサイエティ大会、B-5-205 、2003秋
【非特許文献２】H.Nakamura,K.Watanabe and T.Maruyama,"A Simple Adaptive Baseband Predistortion Algorithm with Perturbation", Proc.IEEE WCNC 2004, Atlanta,Georgia,March 2004
【発明の開示】
【発明が解決しようとする課題】
【００１１】
ところで、増幅器の補償前のＡＭ−ＰＭ特性は、図７に示すように入力電力に関係なく不規則に変動することが知られている。特に、増幅器出力を向上させるために直列に複数の増幅器を接続し、１つの高出力増幅器として機能させる場合には、変動特性が階段状の特性となる場合が多い。この場合、段数が決まっていればモデル化も不可能ではないが、実際には段数も様々である。また、増幅器によっては、ＡＭ−ＰＭ特性に極大点および極小点が存在し、階段状となる入力電力範囲もまちまちであった。また、ＡＭ−ＡＭ特性についてはできるだけ線形化されるように設計されているが、ＡＭ−ＰＭ特性については考慮されない、あるいは考慮してもＡＭ−ＡＭ特性を優先して設計する等のために、ＡＭ−ＰＭ特性は規則的に変動しない場合が多い。このように、ＡＭ−ＰＭ特性は多様であり、任意の増幅器に対するＡＭ−ＰＭ特性の汎用モデル化は困難であり、歪補償データをパターン化して保持することが困難であった。
【００１２】
したがって、従来の歪補償方法では、任意の増幅器のＡＭ−ＡＭ特性に対する歪補償データをパターン化して保持することは可能であるものの、ＡＭ−ＰＭ特性に対する歪補償データをパターン化して保持することは困難であった。よって、任意の特性を有する増幅器に対する歪補償は困難な状況にあった。
【００１３】
本発明は、ディジタルプレディストーションを適用的に行う無線通信システムの送信機において、ＡＭ−ＡＭ特性およびＡＭ−ＰＭ特性の少なくとも一方が不規則でパターン化が困難な場合に、そのパターン化が困難な歪補償データを予め保持していなくても最適な歪補償を行うことができる非線形歪補償装置を提供することを目的とする。
【課題を解決するための手段】
【００１４】
本発明は、入力する直交ベースバンド信号と歪補償データとの信号処理により非線形歪を付与し、その信号を直交変調し、非線形な入出力特性をもつ増幅部で増幅した変調信号を送信するとともに、変調信号の有効帯域外成分である歪成分電力を検出し、歪補償データを変更しながら歪成分電力の変化を監視し、この歪成分電力が最も小さくなる歪補償データを選択して増幅部の非線形歪を補償する非線形歪補償装置において、増幅部に入力する変調信号の入力電力を調整するレベル調整部を備え、歪補償データ制御部は、レベル調整部に対して増幅部へ入力される全電力の範囲で段階的に電力区間を設定するとともに、各電力区間の歪補償データのうちＡＭ−ＡＭ特性またはＡＭ−ＰＭ特性のいずれか一方の歪補償データを一時的に変動させ、歪成分電力が最も小さくなる歪補償データを決定し、全電力区間に応じた歪補償データ群の確定処理を行う構成である。
【００１５】
また、本発明は、入力する直交ベースバンド信号と歪補償データとの信号処理により非線形歪を付与し、その信号を直交変調し、非線形な入出力特性をもつ増幅部で増幅した変調信号を送信するとともに、変調信号の有効帯域外成分である歪成分電力を検出し、歪補償データを変更しながら歪成分電力の変化を監視し、この歪成分電力が最も小さくなる歪補償データを選択して増幅部の非線形歪を補償する非線形歪補償装置において、増幅部に入力する変調信号の入力電力を調整するレベル調整部と、増幅部への入力電力値に対応して、理想的に歪補償が行われた場合の歪成分電力を保持する歪成分電力参照部とを備え、歪補償データ制御部は、レベル調整部に対して増幅部へ入力される全電力の範囲で段階的に電力区間を設定するとともに、各電力区間の歪補償データのうちＡＭ−ＡＭ特性またはＡＭ−ＰＭ特性のいずれか一方の歪補償データを一時的に変動させたときに、歪成分電力参照部から増幅部への入力電力値に対応する歪成分電力を取り出し、この歪成分電力を目標として電力検出部で検出された歪成分電力が最も小さくなる歪補償データを決定し、全電力区間に応じた歪補償データ群の確定処理を行う構成である。
【００１６】
また、歪補償データ制御部は、増幅部の電源投入時または増幅特性の変動が予想される場合に、全電力区間に応じた歪補償データ群の確定処理を行う構成としてもよい。
【発明の効果】
【００１７】
本発明は、非線形な入出力特性をもつ増幅部出力の一部から歪成分電力を検出し、これを低減させるように歪補償データの更新を行い、最も歪成分電力が低減する歪補償データを確定する手順において、ＡＭ−ＡＭ特性またはＡＭ−ＰＭ特性のいずれか一方の歪補償データを一時的に変動させながら歪補償データを確定していく。これにより、増幅部のＡＭ−ＡＭ特性またはＡＭ−ＰＭ特性のいずれか一方が不規則でパターン化することが困難で、その歪補償データを予め保有していなくても、最適な歪補償処理を行うことができる。
【発明を実施するための最良の形態】
【００１８】
（第１の実施形態）
図１は、本発明の非線形歪補償装置の第１の実施形態を示す。本実施形態の特徴は、図５に示す従来構成において、直交変調部１５と増幅器１６との間にレベル調整部３１を配置し、歪補償データ制御部２３に代わる歪補償データ制御部３２は、決定した運用電力レベルをもとにレベル調整部３１を操作して増幅器１６に入力する変調信号の電力レベルを調整するとともに、その電力発生範囲に対応する歪補償データを生成して歪補償データ部１４に設定する。その他の構成は、図５に示す従来構成と同様である。
【００１９】
なお、分配部１７とフィルタ２１を一体化し、増幅器１６から出力される増幅および歪補償された変調信号から有効帯域成分（信号成分）と有効帯域外成分（歪成分）を分離し、有効帯域外成分（歪成分）を電力検出部２２に送出する構成としてもよい。
【００２０】
本実施形態における歪補償データ制御部３２の制御手順について、図２を参照して説明する。なお、本制御は、電源投入時または増幅器特性が何らかの原因により変動すると予想される場合に行われるものとする。また、増幅器１６の入出力特性の１つであるＡＭ−ＡＭ特性は従来の方法等により求められており、これを理想的に補償する歪補償データ群が歪補償データ部１４に保持され、増幅器１６のＡＭ−ＰＭ特性を補償する歪補償データを作成して歪補償を行う場合について説明する。
【００２１】
歪補償データ群は、増幅器１６への入力電力に対応した信号補正値であり、増幅器１６へ入力される全電力に対応した値をもっている。ここでは、低い電力値に対応する歪補償データから作成を始め、徐々に高い電力値に対応する歪補償データを作成する。図２における初期区間は発生する電力が最も小さい範囲であり、初めにこの初期区間に対応する歪補償データを作成する。
【００２２】
歪補償データ制御部３２は、この初期区間に定めた電力値範囲となるように運用電力レベルを設定し、レベル調整部３１を制御する。この区間の歪補償データを定数近似し、定数を０からプラスの方向、またはマイナスの方向へ変更し、その都度この定数値を歪補償データ部１４に適用し、電力検出部２２から通知される歪成分電力値を検出する。この歪成分電力値が最も低くなったときに、この定数値を初期区間の歪補償データとして定め、今後はこれを維持する。
【００２３】
次に、初期区間よりもΔＰだけ大きい電力区間を歪補償区間(1) として定め、電力増分のΔＰ区間に対応する歪補償データを作成する。歪補償データ制御部３２は、歪補償区間(1) に対応する信号電力を発生する運用電力レベルを設定し、レベル調整部３１を制御する。この歪補償区間(1) のうち、初期区間には先に定めた定数の歪補償データを適用し、増分のΔＰ区間における歪補償データを変動させ、その値を定数区間で定めた値からプラスの方向、またはマイナスの方向へ変更し、その都度歪補償データ部１４が有する歪補償データの値として適用し、電力検出部２２から通知される歪成分電力値を検出する。この歪成分電力値が最も低くなったときに、この定数値をΔＰ区間の歪補償データとして定め、今後はこれを維持する。
【００２４】
以下同様にこの手順を繰り返してΔＰ区間増分に対応する歪補償データを作成し、最終的に全区間（初期区間＋ΔＰ区間×Ｎ）の歪補償データを作成することができる。このようにして作成された歪補償データを保持することにより、歪補償データ部１４では良好な歪補償が可能となる。
【００２５】
なお、図２に示す例では、各区間における歪補償データは定数としているが、図３に示すように各区間ごとに直線近似を行うようにしても同様に最適な歪補償データの作成が可能である。
【００２６】
（第２の実施形態）
図４は、本発明の非線形歪補償装置の第２の実施形態を示す。本実施形態の特徴は、第１の実施形態において、増幅器１６へ入力する電力に対する理想的な歪成分電力を示すテーブルである歪成分電力参照部３３を備え、歪補償データ制御部３２に代わる歪補償データ制御部３４が歪成分電力参照部３３を参照しながら最適な歪補償データを生成して歪補償データ部１４に設定するところにある。すなわち、歪補償データ制御部３４は、運用電力レベルを設定してレベル調整部３１を制御すると、そのときの歪成分電力が電力検出部２２から通知される。一方、運用電力レベルを歪成分電力参照部３３に通知し、これに対応する理想的な歪成分電力を得る。歪補償データ制御部３４は、この両歪成分電力が近づくように、設定した電力範囲の歪補償データの調整を行う。
【００２７】
プレディストーションによる理想的な歪補償を行った場合、ＡＭ−ＡＭ特性は所定の増幅利得特性に基づいて入力電力と出力電力の関係が決まるが、飽和出力を超える電力は出力できない。そのため、図６に示すように、出力が飽和電力に至るまで線形領域を維持し、飽和電力に到達した後は飽和領域を維持する２つの領域によって表される。よって、理想的に補償された後のＡＭ−ＡＭ特性は、補償前の特性の影響を考慮せずに増幅利得と飽和出力のみで表現することができる。
【００２８】
同様に、理想的な歪補償を行ったＡＭ−ＰＭ特性は、増幅器が有する位相特性と逆の位相特性を予め与えることにより完全にその影響を除去することができる。よって、理想的に補償された後のＡＭ−ＰＭ特性は、補償前の特性の影響を全く考慮しなくてもよいと言える。
【００２９】
これにより、歪成分電力参照部３３は、増幅器１６のＡＭ−ＡＭ特性およびＡＭ−ＰＭ特性が理想的に補償されることを前提として、増幅器１６へ入力される全電力に対応した理想的歪成分電力値を予め保有している。すなわち、この歪成分電力参照部３３が保有する歪成分電力値を目標として歪補償を行うことにより、最適な歪補償効果を得ることができる。
【００３０】
以下、歪成分電力が低減するように歪補償制御を行う場合の制御手順について説明する。なお、本制御は、第１の実施形態と同様に電源投入時または増幅器特性が何らかの原因により変動すると予想される場合に行われるものとする。また、増幅器１６の入出力特性の１つであるＡＭ−ＡＭ特性は従来の方法等により求められており、これを理想的に補償する歪補償データ群が歪補償データ部１４に保持され、増幅器１６のＡＭ−ＰＭ特性を補償する歪補償データを作成して歪補償を行う場合について説明する。
【００３１】
歪補償データ群は、増幅器１６への入力電力に対応した信号補正値であり、増幅器１６へ入力される全電力に対応した値をもっている。ここでは、低い電力値に対応する歪補償データから作成を始め、徐々に高い電力値に対応する歪補償データを作成する。図２における初期区間は発生する電力が最も小さい範囲であり、初めにこの初期区間に対応する歪補償データを作成する。
【００３２】
歪補償データ制御部３４は、この初期区間に定めた電力値範囲となるように運用電力レベルを設定し、レベル調整部３１を制御する。この区間の歪補償データを任意で変動させ、その都度、歪補償データ部１４が有する歪補償データの値として適用し、電力検出部２２から通知される電力値を検出する。それと同時に、歪成分電力参照部３３から設定した運用電力レベルに対応する歪成分電力値を得る。この結果、電力検出部２２で検出した電力値が歪成分電力参照部３３から得られた値まで下がるように歪補償データの値を変更し、その値を初期区間の歪補償データとして定め、今後はこれを維持する。
【００３３】
次に、初期区間よりもΔＰだけ大きい電力区間を歪補償区間(1) として定め、電力増分のΔＰ区間に対応する歪補償データを作成する。歪補償データ制御部３４は、歪補償区間(1) に対応する信号電力を発生する運用電力レベルを設定し、レベル調整部３１を制御する。この歪補償区間(1) のうち、初期区間には先に定めた定数の歪補償データを適用し、増分のΔＰ区間における歪補償データを変動させ、その都度、歪補償データ部１４が有する歪補償データの値として適用し、電力検出部２２から通知される電力値を検出する。それと同時に、歪成分電力参照部３３から設定した運用電力レベルに対応する歪成分電力値を得る。この結果、電力検出部２２で検出した電力値が歪成分電力参照部３３から得られた値まで下がるように歪補償データの値を変更し、その値をΔＰ区間の歪補償データとして定め、今後はこれを維持する。
【００３４】
以下同様にこの手順を繰り返してΔＰ区間増分に対応する歪補償データを作成し、最終的に全区間（初期区間＋ΔＰ区間×Ｎ）の歪補償データを作成することができる。このようにして作成された歪補償データを保持することにより、歪補償データ部１４では良好な歪補償が可能となる。
【００３５】
以上説明した第１の実施形態および第２の実施形態では、ＡＭ−ＡＭ特性に対する歪補償データを固定し、ＡＭ−ＰＭ特性に対する歪補償データを変更して歪補償を行う例を示した。これは、ＡＭ−ＡＭ特性がパターン化しやすいことを前提としたものである。ＡＭ−ＰＭ特性がパターン化しやすい場合には、ＡＭ−ＰＭ特性に対する歪補償データを既知として、ＡＭ−ＡＭ特性に対する歪補償データを変更して歪補償を行うようにしてもよい。
【図面の簡単な説明】
【００３６】
【図１】本発明の非線形歪補償装置の第１の実施形態を示す図。
【図２】歪補償データ制御部３２の制御手順例１を説明する図。
【図３】歪補償データ制御部３２の制御手順例２を説明する図。
【図４】本発明の非線形歪補償装置の第２の実施形態を示す図。
【図５】従来の非線形歪補償装置の構成例を示す図。
【図６】歪補償前と歪補償後のＡＭ−ＡＭ特性例を示す図。
【図７】歪補償前と歪補償後のＡＭ−ＰＭ特性例を示す図。
【符号の説明】
【００３７】
１  直交ベースバンド信号
２  歪補償データ
３  変調信号
１１  歪補償部
１２  電力計算部
１３  歪補償データ部
１４  歪補償データ保有部
１５  直交変調部
１６  増幅器
１７  分配部
２１  フィルタ
２２  電力検出部
２３，３２，３４  歪補償データ制御部
３１  レベル調整部
３３  歪成分電力参照部
【図１】
2006140645.tif 000003
【図２】
2006140645.tif 000004
【図３】
2006140645.tif 000005
【図４】
2006140645.tif 000006
【図５】
2006140645.tif 000007
【図６】
2006140645.tif 000008
【図７】
2006140645.tif 000009